(57)【特許請求の範囲】
【請求項１】
第一（１）および第二（４）の２つのフィルム・ウェブがシール装置（１４）を用いて一緒にシールされ、一緒にシールされたフィルム・ウェブ（１，４）に向けて１列以上のプッシャ（１３）の作動により物体（１２）が移動され、その後もう一度フィルム・ウェブ（１，４）が一緒にシールされて物体（１２）を包装し且つ切断される、１個以上の物体（１２）の収縮フィルム包装方法であって、プッシャ（１３）の前記作動により物体（１２）が移動された後に、ホーズ・ブレーキ（７，８）が作動してフィルム・ウェブ（１，４）の双方がホーズ・ブレーキ（７，８）によって固定的に保持され、その状態でプッシャ（１３）により物体（１２）がさらに移動されることによりフィルム・ウェブ（１，４）が予備延伸されることと、ホーズ・ブレーキ（７）が作動し、ホーズ・ブレーキ（７）によって第一フィルム・ウェブ（１）が保持された状態でのシール装置（１４）の移動により第一フィルム・ウェブ（１）が最後に延伸されることと、前記ホーズ・ブレーキ（７，８）、プッシャ（１３）およびシール装置（１４）が機械的に相互連結されて、前記ホーズ・ブレーキ（７）及びプッシャ（１３）の作動と前記シール装置（１４）の移動とが予め定められた作動サイクルで同期的に行われるようにすることと、フィルム・ウェブ（１，４）が一緒にシールされて物体（１２）を包装し且つ切断された後に物体（１２）の外側へ突出するフィルム・ウェブ（１，４）の部分が熱作用を受けるようにすることとを含むことを特徴とする収縮フィルム包装方法。
【請求項２】
請求項１に記載の収縮フィルム包装方法において、その方法の諸段階が循環的に反復されることを特徴とする収縮フィルム包装方法。
【請求項３】
請求項２に記載の収縮フィルム包装方法において、循環の間にフィルム（１，４）の位置が、光電セル（１５）での第一フィルム（１）上の図版符号の読出しにより修正され、その結果、第一フィルム（１）と一緒にシールされた第二フィルム（４）が正確な位置へ引き寄せられることを特徴とする収縮フィルム包装方法。
【請求項４】
請求項３に記載の収縮フィルム包装方法において、第二フィルム（４）が、カウンタ・ローラ（１７）に対し駆動ローラ（１６）でロックされることにより定位置へ引き出されることを特徴とする収縮フィルム包装方法。
【請求項５】
請求項４に記載の収縮フィルム包装方法において、駆動ローラ（１６）がクラッチ／ブレーキによりロックされることを特徴とする収縮フィルム包装方法。
【請求項６】
第一（１）および第二（４）の２つのフィルム・ウェブを一緒に接合するシール装置（１４）と、フィルム・ウェブ（１，４）に向けて物体（１２）を移動させるプッシャ（１３）と、各フィルム・ウェブ（１，４）に対して設けられたホーズ・ブレーキ（７，８）とを含む、１個以上の物体（１２）の収縮フィルム包装装置において、前記ホーズ・ブレーキ（７，８）、プッシャ（１３）およびシール装置（１４）が機械的に相互連結されており、また、フィルム・ウェブ（１，４）が一緒にシールされて物体（１２）を包装し且つ切断された後に物体（１２）の外側に突出するフィルム・ウェブを加熱する熱空気ノズルが設けられていることを特徴とする収縮フィルム包装装置。
【請求項７】
請求項６に記載の収縮フィルム包装装置において、シール装置（１４）が、鉛直面から５ないし１０°の角度で傾斜することを特徴とする収縮フィルム包装装置。
【請求項８】
請求項６に記載の収縮フィルム包装装置において、同装置が更に、第一フィルム・ウェブ（１）に配置された光電セル（１５）とカウンタ・ローラ（１７）に対してロックされ得る駆動ローラ（１６）とを包含し、駆動ローラ（１６）が第二フィルム・ウェブ（４）に配置されることを特徴とする収縮フィルム包装装置。
【発明の詳細な説明】
【０００１】
【産業上の利用分野】
本発明は、２つのフィルム・ウェブ、即ち第一および第二ウェブ、がシール装置を用いて一緒にシールされ、一緒にシールされたフィルム・ウェブに向けて１列以上のプッシャの作動により物体が移動され、その後もう一度フィルム・ウェブが一緒にシールされて物体を包装し且つ切断される、１個以上の物体の収縮フィルム包装方法に関する。本発明はまた、この方法を実施する装置に関する。
【０００２】
【従来の技術】
分配ユニットを用意する、包装業界での一般的な方法は、消費者の興味をひいている分配ユニットに、１個以上の物体を一緒に収縮フィルム包装することである。これまで、収縮フィルム包装された物品は、１ないし２組のフィルム長さだけ、ゆるいバンデロールに包装され、次のプロセスでそれが熱空気炉を通過し、そこでフィルム・バンデロールが熱空気で膨張させられ、その後フィルムは物体の回りに収縮する。この方法は、収縮が計算困難であり且つフィルムの比較的に大きな余地が提供されなければならないので、比較的に大きなフィルムの材料消費を必然的に伴っていた。更にまた収縮作業は、収縮プロセスにおいてフィルムが折り目や孔を形成することを伴っていた。この種の収縮フィルムにある形態の印刷された図版装飾を備えるという技術の範囲内での願望は従って、ねじれ無しに実現することが困難であることを立証した。
【０００３】
【発明が解決しようとする課題】
本発明の一目的は、上記に略述した諸問題の無い魅力的且つ適切な分配包装がそこに得られる収縮フィルム包装方法を実現することにある。
【０００４】
本発明のその上の目的は、材料消費を低減し且つ、更に薄いフィルムの使用を可能にすることにある。
【０００５】
本発明の更にその上の目的は、前印刷されたフィルムを使用することが可能な分配ユニットを実現することにある。
【０００６】
【課題を解決するための手段】
以上その他の諸目的は、上記した種類の方法において、プッシャの作動により物体が移動された後に、ホーズ・ブレーキが作動してフィルム・ウェブの双方がホーズ・ブレーキによって固定的に保持され、その状態でプッシャにより物体がさらに移動されることによりフィルム・ウェブが予備延伸されることと、ホーズ・ブレーキが作動し、ホーズ・ブレーキによって第一フィルム・ウェブが保持された状態でのシール装置の移動により第一フィルム・ウェブが最後に延伸されることと、前記ホーズ・ブレーキ、プッシャおよびシール装置が機械的に相互連結されて、前記ホーズ・ブレーキ及びプッシャの作動と前記シール装置の移動とが予め定められた作動サイクルで同期的に行われるようにすることと、フィルム・ウェブが一緒にシールされて物体を包装し且つ切断された後に物体の外側へ突出するフィルム・ウェブの部分が熱作用を受けるようにすることとを含むことを特徴とする本発明により達成される。
【０００７】
本発明の好適な実施例には、添付従属クレイムに述べられているような、特色づける諸特徴が示されている。
【０００８】
ここで本発明の好適な一実施例を、特に添付諸図面につき、以下により詳細に説明する。
【０００９】
図面は本発明の理解に不可欠な部分のみを示し、その（当業者に周知されている）関連情況において使用される装置の布置は省略されている。
【００１０】
【実施例】
本発明により収縮フィルム包装を実現する装置は、以後上方フィルムと表示される第一フィルム・ウェブ１にて、以後下方フィルム・ウェブと表示される第二フィルム４とそれが合同する点まで、マガジン・リール２から、数多くの曲げローラ３を介し、前記装置を通って送られる第一フィルム・ウェブから成っている。下方フィルム・ウェブ４もまた、マガジン・リール５から出発し、数多くの曲げローラ６を介して第一フィルム・ウェブ１と合同するに至らされる。
【００１１】
フィルム・ウェブ１，４の双方は各々、装置を通る途中でホーズ・ブレーキ７，８を通過する。各ホーズ・ブレーキ７，８は、断続的に空気で膨張させ且つ収縮させ得る細長い中空物体で構成されている。当接体９，１０は、中空物体が空気で膨張された時にこの当接体９，１０に対してフィルム・ウェブ１，４が固く保持され、中空物体が収縮された時にフィルム・ウェブ１，４がもう一度通過するように、この中空物体に対して作動する。フィルム・ウェブ１，４はまた、膨張された中空物体から遠方へ移動されるので解放され得る。
【００１２】
フィルム・ウェブ１，４の双方が一緒に合同する点には、収縮フィルム包装すべく予定された物体が送入される滑り板１１が設けられている。物体１２はプッシャ１３により送入される。
【００１３】
滑り板１１に関連して、フィルム・ウェブ１，４の双方をシールすべく鉛直面内を移動可能なシーリング・ジョー１４も設けられる。シーリング・ジョー１４は、垂直面から約５ないし１０°の角度で傾斜する。この傾斜は、フィルム・ウェブ１，４に包囲される物体１２に対し更に近くへシーリング１４が近接し得るように計画される。
【００１４】
この装置内に包含される全ての部分、即ちホーズ・ブレーキ７，８、プッシャ１３およびシーリング・ジョー１４は、それらが予め定められた作動サイクルで同期的に協働するよう、例えばカムにより、互いに機械的に相互連結される。カムおよび機械的連結要素は図面に示されていない。
【００１５】
この装置は更に、上方フィルム・ウェブ１上に前印刷された図版の装飾または図版記録維持を予定された上方フィルム・ウェブに置かれた光電セル１５を包含することができる。上方フィルム・ウェブ１上での図版維持の利用を可能とするため、下方フィルム・ウェブ４には、断続的にロックされ且つ解放され得る駆動ローラ１６が同時に設けられる。駆動ローラ１６は、カウンタ・ローラ１７に対して加圧されたフィルム４を駆動する。駆動ローラ１６の駆動は、クラッチ／ブレーキにより係合され且つ離脱される。
【００１６】
１個以上の物体１２の収縮フィルム包装の開始位置においては、最初の接合部または継目を形成すべく、フィルム・ウェブ１，４の双方が集められ且つシールされる。図１に示す如く、プッシャ１３は、１列に配列された数多くの物体１２を、それらの一つの下方コーナ１８が２組のフィルム・ウェブ１，４の接合部または継目に対して布置されるように移動させる。こうした場合、物体１２は下方フィルム・ウェブ４上に位置するが、物体の共通の長手方向面は上方フィルム・ウェブ１に向けて移動する。プッシャ１３がその物体１２の前進を完了させてその後方位置へ戻る直前に２組のホーズ・ブレーキ７，８が作動されるが、これらは、それぞれのフィルム・ウェブ１，４の各々に配置されている。この時点でフィルム・ウェブ１，４の双方がロックされるので、当接体９，１０は膨張された中空体に向けて移動され、プッシャ１３の前進行程の残部の距離は、それによりフィルム・ウェブ１，４の双方を延伸させ、従ってそれらは物体１２の共通の長手方向面に向けてきつく当接する。数列の物体１２の収縮フィルム包装が望ましい場合、ホーズ・ブレーキ７，８は、最終列の物体１２の挿入の際まで作動されない。これは、第１列の中空体が収縮され且つ最終列の物体１２の挿入の際に膨張することによりもたらされる。
【００１７】
プッシャ１３の戻り行程と同時に頂部支持材１９が下降して、プッシャ１３がフィルム・ウェブ１，４を延伸させた位置に物体１２を固定的に保持し、従ってそれらは物体１２に対し延伸された状態に置かれる。頂部支持材１９は物体１２をこの位置へ固定的に保持し、また、図２に示す如く、膨張された中空体から遠方へ当接体が移動されるのでホーズ・ブレーキ７，８が不活性化され、フィルム・ウェブ１，４は自由に通り得る。
【００１８】
その後シーリング・ジョー１４は、図３に示す如く、その下降行程を達成する。当接体９がカムを介し、膨張された中空体に向けて移動されることにより、シーリング・ジョー１４が滑り板１１まで下降する直前に上方ホーズ・ブレーキ７がもう一度作動され、従ってシーリング・ジョー１４は、その残部の下降行程において、包装された物体１２の残部の面に対し、上方フィルム・ウェブ１を最後に延伸させる。フィルム・ウェブ１，４の双方は、平行な２本の継目から成るシール用接合部または継目を形成すべく一緒にシールされ、ここで包装された物体１２の列は、平行な２本のシール用接合部または継目間でフィルム・ウェブ１，４から切断される。
【００１９】
この装置はこの時点で開始位置に戻り、サイクルが反復される。既に包装された物体１２はこの装置を通って更に移動され、物体１２の外側へ突出しているフィルム１，４の部分は、そこで、熱空気ノズル（図示せず）による熱作用にさらされる。
【００２０】
前印刷された図版を備えた上方フィルム１が使用される場合には、印刷されていない下方フィルム４が同時に使用される。上方の前印刷されたフィルム１は、規則的に循環する間隔で発生する、いわゆる図版符号を備えているが、これは光電セル１５により読み出すことができる。図版符号間の距離は、予定された物体１２を包装する計算された消費量よりもわずかに大である。
【００２１】
シーリング・ジョー１４がその上方に向かう行程を達成する場合には、２組のフィルム・ウェブ１，４を一緒にシールした後、光電セル１５が図版符号を読み出す。これが光電セル１５と整合しない場合には、結合された２組のフィルム・ウェブ１，４が正確な位置へ引きおろされるので、図版整合が調整される。図版符号間の距離がフィルム材料の予定消費量よりも大であれば、下方フィルム・ウェブ４が引かれることがこれに必然的に伴い、これが上方フィルム・ウェブ１と一緒にシールされ、従って光電セル１５により図版符号を読み出すことができる。下方フィルム・ウェブ４は、駆動ローラ１６が、例えばクラッチ／ブレーキによりカウンタ・ローラ１７に対してロックされるので、引きおろされる。図版整合維持の補整が完了した後、駆動ローラ１６が解放され、カウンタ・ローラ１７がわきへ移動され、下方フィルム４は駆動ローラ１６を自由に通過することができる。
【００２２】
上述の説明から明らかな如く、本発明によれば、図版装飾を備えたフィルム・ウェブの使用を可能とする、魅力的且つ適切に包装された物体を生成するための収縮フィルム包装が実現される。本発明による収縮フィルム包装方法および装置を以てすれば、残存フィルムの最終的収縮を補足するフィルムの引張り強さおよび伸展性が上述の方法により大いに利用されるので、フィルム消費量が３０ないし３５％まで低減され、更に薄いフィルムを使用することも可能である。
【００２３】
本発明は、上記に説明され且つ図面に示されたそれに限定されるとみなされるべきではなく、添付クレイムの精神および範囲を逸脱することなく、数多くの変更態様が考えられる。
【図面の簡単な説明】
【図１】本発明の方法の順序を略図様式で示す図。
【図２】本発明の方法の順序を略図様式で示す図。
【図３】本発明の方法の順序を略図様式で示す図。
【符号の説明】
１  第一フィルム・ウェブ
４  第二フィルム・ウェブ
７  ホーズ・ブレーキ
８  ホーズ・ブレーキ
１２  物体
１３  プッシャ
１４  シール装置
１５  光電セル
１６  駆動ローラ
１７  カウンタ・ローラ
【図１】
0003593142.tif 000002
【図２】
0003593142.tif 000003
【図３】
0003593142.tif 000004